(57)【特許請求の範囲】
【請求項１】
ケーブルの端部に設けられ、接続相手と接続する方向が前記ケーブルの軸方向に対して直交するライトアングルプラグと、
電子機器の一側面に設けられ、前記ライトアングルプラグが接続されるソケットと、
一端部が前記ライトアングルプラグ又は前記ケーブルに係合するとともに他端部が前記電子機器の筐体の一部に脱着自在に係合して、前記ライトアングルプラグに対して前記接続方向とは逆方向である前記ソケットから離間する抜脱方向への移動を規制する規制部材と、
を備え、
前記筐体の一部は、前記抜脱方向と直交する方向に延在する部位を有し、この部位で前記他端部と係合して、前記他端部の抜脱方向への移動を規制し、
前記ライトアングルプラグは、前記ケーブルの端部に首部を介して接続され、接続相手と接続する方向が前記ケーブルの軸方向に対して直交し、前記ソケットに接続方向から接続されるプラグ本体を有し、
前記規制部材の一端部は、前記ケーブル又は首部を内嵌するとともに前記プラグ本体の外径より小さい開口部を有し、前記他端部は、前記筐体の一部に脱着自在に外嵌するとともに前記プラグ本体が挿通可能な内径の開口部を有し、
前記一端部及び前記他端部は、前記一端部の開口部及び他端部の開口部と連通し、且つ、ケーブルを挿通させる幅のスリットが形成された規制本体部により連結されているライトアングルコネクタ装置。
【請求項２】
前記電子機器は、前記ソケットに接続されたライトアングルプラグから前記ケーブルが導出される方向で前記一側面と隣り合いかつ交差する他側面と、この他側面から前記ケーブルの導出方向に突出して、前記筐体の一部となる係合部とを有し、
前記他端部は、前記係合部に脱着自在に外嵌する請求項１記載のライトアングルコネクタ装置。
【請求項３】
前記係合部は筒状体であり、前記他端部を外周面で外嵌させ、先端部の開口部分に他のコネクタが挿入して接続される請求項２項に記載のライトアングルコネクタ装置。
【請求項４】
前記一側面と他側面とは直交している請求項１から３のいずれか１項に記載のライトアングルコネクタ装置。
【請求項５】
前記電子機器は、前記ソケットに接続されたライトアングルプラグから前記ケーブルが導出される方向で前記一側面と直交して隣り合う他側面と、当該他側面に接続方向側の端部で直交し、前記一側面と対向する位置に配置された直交面とを有し、
前記規制部材では、前記規制本体部は前記他側面に沿って配置され、前記他端部は前記直交面に対向して配置され、当該直交面に当接して、抜脱方向への移動が規制される当接板部を有する請求項１記載のライトアングルコネクタ装置。
【請求項６】
前記一側面と他側面とは直交している請求項５記載のライトアングルコネクタ装置。
【請求項７】
前記規制部材は、可撓性部材により形成され、前記一端部及び他端部の開口部は、前記スリットを有する前記規制本体部を介して拡径可能である請求項１〜６のいずれか１項に記載のライトアングルコネクタ装置。
【発明の詳細な説明】
【技術分野】
【０００１】
本発明は、電子機器の筐体の外面に設けられたソケットと、ソケットに接続されるライトアングルプラグとを有するライトアングルコネクタ装置に関する。
【背景技術】
【０００２】
従来、電子機器の筐体の外面に設けたソケットに接続されるプラグとしては、例えば、特許文献１に示すように、ケーブルの端に設けられた接続端子の向きをケーブルの軸方向に対して直交する方向にするライトアングルプラグが知られている。
【特許文献１】特開２００２−２３１３９３号公報
【発明の開示】
【発明が解決しようとする課題】
【０００３】
ライトアングルプラグをソケットに接続するコネクタ装置では、ライトアングルプラグの接続端子をソケット内に挿入して接続する方向と、ケーブルの軸方向とが直交している。このため、ケーブルが軸方向に引っ張られる力に対しては、接続端子はソケットから抜けにくくなるが、接続端子の挿入方向と逆の方向（抜脱方向という）の力に対しては抜けやすい。
【０００４】
例えば、ライトアングルコネクタ装置を、人体に装着して睡眠中の生体情報を取得して評価するホルタ型の睡眠評価装置と、睡眠評価装置に接続され、睡眠中の努力呼吸を測定するセンサとの接続に用いた場合、測定対象者の睡眠時における体位の変更などによって、接続端子の挿入方向と逆の抜脱方向の力が加わり、使用中にライトアングルプラグが抜けてしまうという恐れがある。
【０００５】
本発明はかかる点に鑑みてなされたものであり、電子機器に接続されたライトアングルプラグに対して、ケーブルの軸方向と直交するライトアングルプラグの抜脱方向への抜け止めを行うことができるライトアングルコネクタ装置を提供することを目的とする。
【課題を解決するための手段】
【０００６】
本発明のライトアングルコネクタ装置は、ケーブルの端部に設けられ、接続相手と接続する方向が前記ケーブルの軸方向に対して直交するライトアングルプラグと、電子機器の一側面に設けられ、前記ライトアングルプラグが接続されるソケットと、一端部が前記ライトアングルプラグ又は前記ケーブルに係合するとともに他端部が前記電子機器の筐体の一部に脱着自在に係合して、前記ライトアングルプラグに対して前記接続方向とは逆方向である前記ソケットから離間する抜脱方向への移動を規制する規制部材と、を備え、前記筐体の一部は、前記抜脱方向と直交する方向に延在する部位を有し、この部位で前記他端部と係合して、前記他端部の抜脱方向への移動を規制し、前記ライトアングルプラグは、前記ケーブルの端部に首部を介して接続され、接続相手と接続する方向が前記ケーブルの軸方向に対して直交し、前記ソケットに接続方向から接続されるプラグ本体を有し、前記規制部材の一端部は、前記ケーブル又は首部を内嵌するとともに前記プラグ本体の外径より小さい開口部を有し、前記他端部は、前記筐体の一部に脱着自在に外嵌するとともに前記プラグ本体が挿通可能な内径の開口部を有し、前記一端部及び前記他端部は、前記一端部の開口部及び他端部の開口部と連通し、且つ、ケーブルを挿通させる幅のスリットが形成された規制本体部により連結されている構成を採る。
【発明の効果】
【０００７】
本発明によれば、電子機器に接続されたライトアングルプラグに対して、ケーブルの軸方向と直交するライトアングルプラグの抜脱方向への抜け止めを行うことができる。
【発明を実施するための最良の形態】
【０００８】
以下、本発明の実施の形態について、図面を参照して詳細に説明する。
【０００９】
（実施の形態１）
図１は、本発明の実施の形態１に係るライトアングルコネクタ装置を示す斜視図である。
【００１０】
図１に示すライトアングルコネクタ装置１００は、ケーブル２１０の端部に設けられ、接続相手と接続する方向がケーブル２１０の軸方向に対して直交するライトアングルプラグ２００と、ライトアングルプラグ２００が接続されるソケット３１０（図９参照）を備える電子機器４００と、ライトアングルプラグ２００と電子機器４００との間に架設された規制部材５００とを備える。
【００１１】
ライトアングルプラグ２００は、ケーブル２１０の端部に首部（蛇腹部）２２１を介してケーブル２１０の軸方向に沿って取り付けられたプラグ本体２２０を有する。
【００１２】
プラグ本体２２０は、ケーブル２１０の軸方向と直交して突出して形成された挿入突部２３０（図７〜図９参照）を備え、この挿入突部２３０の内部には、ケーブル２１０の導体に接続され、接続相手に接続される接続端子（図示省略）が先端側で臨むように設けられている。
【００１３】
図１に示すライトアングルプラグ２００は、挿入突部２３０を電子機器４００における筐体４１０の一側面４１２に配設されたソケット３１０（図９参照）に挿入して電子機器４００に着脱自在に取り付けられている。図示しないが、挿入突部２３０の挿入によって、プラグ本体２２０内でケーブル２１０に接続されている接続端子がソケット３１０（図９参照）内に配設された端子に接続されている。
【００１４】
電子機器４００は、筐体４１０の一側面４１２にライトアングルプラグ２００が接続されるものである。このように一側面４１２にライトアングルプラグ２００が接続されるソケット３１０が配設される構成であれば、どのような機器であってもよい。
【００１５】
ここでは、電子機器４００を、生体情報を記録する携帯型医療機器とし、具体的には、各センサを接続するとともに測定対象者に携帯させて、日常生活における睡眠中の鼻呼吸、気道音、マスク圧等の呼吸情報、胸骨上窩（喉仏の下の窪み）の動きによる努力呼吸の情報、体位、体動情報、ＳｐＯ２（経皮的動脈血酸素飽和度）等を記録する睡眠評価装置としている。なお、電子機器４００にソケット３１０（図９参照）を介して接続されるライトアングルプラグ２００は、努力呼吸検出センサのプラグとしている。
【００１６】
電子機器４００は、ここでは、外形を略直方体とした筐体４１０を有し、この筐体４１０の一側面４１２に、当該一側面４１２と直交する方向が接続方向となるようにソケット３１０（図９参照）の挿入口が形成されている。
【００１７】
ソケット３１０（図９参照）は、筐体４１０の一側面４１２において、当該一側面４１２と交差する他側面４１４が隣り合う側の端部に設けられている。これにより、接続されたライトアングルプラグ２００から導出されるケーブルは、他側面４１４が位置する平面から外部に突出するように配設させている。言い換えれば、電子機器４００にライトアングルプラグ２００が接続された状態では、ライトアングルプラグ２００から導出されるケーブル２１０は、筐体４１０の上面である一側面４１２から左側面としての他側面４１４側にオーバーハングして取り付けられている。
【００１８】
この他側面４１４に沿って、一端部５１０を上方に配置された首部２２１に係合させるとともに、他端部５２０を筐体４１０に着脱自在に係合させた規制部材５００が配置されている。
【００１９】
規制部材５００は、ライトアングルプラグ２００と、ライトアングルプラグ２００が接続されるソケット３１０を備える電子機器４００とにわたって取り付けられることによって、ライトアングルプラグ２００の挿入方向と逆方向（抜脱方向Ｘ）への抜けを防止する。
【００２０】
図２は本発明の実施の形態１に係るライトアングルコネクタ装置における規制部材の斜視図、図３は本発明の実施の形態１に係るライトアングルコネクタ装置における規制部材の平面図である。
【００２１】
規制部材５００は、可撓性を有する部材により形成されてなり、首部２２１（図１参照）に係合する一端部５１０から他側面４１４に沿って延在して形成された規制本体部５３０と、規制本体部５３０において一端部５１０から離間して設けられ、筐体４１０の係合筒部（係合部）４２０に係合する被係合筒部（被係合部）５２０とを有する。
【００２２】
具体的には、図２及び図３に示すように、規制部材５００は、一端部５１０をケーブル２１０またはライトアングルプラグ２００の首部２２１の一方（ここでは首部２２１）が内嵌する環状に形成されている。なお、一端部５１０は環状部５１０とも称する。
【００２３】
この環状部５１０の開口部５１１は、連続する規制本体部５３０において当該規制本体部５３０の延在方向に沿って形成されたスリット５３２の一端部で連通している。なお、スリット５３２は、他端部側に設けられた被係合筒部５２０に連通している。
【００２４】
環状部５１０の内径は、ケーブル２１０の直径よりも大きく首部２２１に外嵌する長さを有しており、規制本体部５３０のスリット５３２が幅方向に拡がることによって、放射方向に拡がり、首部２２１から取り外し可能となっている。
【００２５】
規制本体部５３０は、ここでは帯板状をなし、中央部分に、両端側で接合された環状部５１０及び被係合筒部５２０の開口部５２１に連通してスリット５３２が形成されている。つまり、規制本体部５３０のスリット５３２は、環状部５１０の一部から所定間隔をあけて略平行に延び、規制本体部５３０となる２つの角柱状部材によって、スリット幅が規定されている。
【００２６】
規制本体部５３０に沿って延在するスリット幅は、環状部５１０の開口の内径よりも狭いとともに、ケーブルが遊挿される幅、つまりケーブルの直径よりも広い。
【００２７】
被係合筒部５２０は、筐体４１０に形成された係合筒部４２０に係合して、規制本体部５３０の延在方向への移動（具体的には抜脱方向Ｘへの移動）を規制する形状を有する。
【００２８】
ここでは、被係合筒部５２０は、一部を切り欠いた環状をなし、切り欠き部分をスリット５３２の他端部に連通させた状態で規制本体部５３０の他端部に設けられている。
【００２９】
被係合筒部５２０において開口部５２１を規定し、筐体の筒状部材である係合筒部４２０に外嵌する内周面には、開口部５２１の軸心方向に突出した突部５２４が形成されている。
【００３０】
被係合筒部５２０は、規制本体部５３０を構成する２つの角柱状部材５３３の端部に、角柱状部材５３３間のスリットを内側の開口部５２１に連通させて設けられている。
【００３１】
被係合筒部５２０は、具体的には内部がスリットと連通するＣ状をなし、規制本体部５３０の連通するスリット５３２の幅が拡がることによって、開口幅が拡がるように形成されている。
【００３２】
このように図１〜図３に示す規制部材５００では、環状部（一端部）５１０がライトアングルプラグ２００又はケーブル２１０に係合するとともに被係合筒部（他端部）５２０が電子機器４００の筐体４１０の一部に脱着自在に係合することによって、ライトアングルプラグ２００がソケット３１０に対して離間する方向（抜脱方向Ｘ）へ移動することを規制する。
【００３３】
この規制部材５００は、可撓性を有する樹脂で形成され、一端部５１０及び他端部５２０のそれぞれが備える開口部５１１、５２１をスリットの両端側で接続してなる。このように規制部材５００自体が可撓性を有する縦長環状に形成されているため、一端部５１０及び他端部５２０のそれぞれの開口部５１１、５２１を連通させるスリット５３２の幅（スリット幅）を広げることによって、２本の角柱状部材５３３及び角柱状部材５３３の両端部でそれぞれ連結された環状の一端部５１０及び他端部５２０は弾性変形して拡径する。
【００３４】
この作用によって、被係合筒部５２０では、その開口部５２１を広げた状態の径は、プラグ本体２２０の外径よりも大きく形成されている。なお、本実施の形態では被係合筒部５２０の開口部５２１の内径は、通常時でもプラグ本体２２０の外径より大きく、プラグ本体２２０を挿通可能となっている。また、被係合筒部５２０の開口部５２１の径は、環状部５１０の内径よりも大きい。ここでは、被係合筒部５２０の内径は、常態時においてプラグ本体２２０の外径よりも大きく、環状部５１０の内径は、プラグ本体２２０の外径よりも小さく、首部２２１に外嵌する径となるように形成されている。これにより、規制部材５００は、環状部５１０をライトアングルプラグ２００の首部２２１に外嵌させておくことで、ライトアングルプラグ２００から外れない状態にでき、通常時において、ライトアングルプラグ２００とともに用いることができる。よって、規制部材５００をライトアングルプラグ２００及び電子機器４００の接続に利用する際、別体で用意することによる紛失等が発生しにくい。
【００３５】
なお、図２及び図３に示す突部５２４は、被係合筒部５２０自体が筐体の係合筒部４２０に外挿された際に、係合筒部４２０に形成された突条部４２２に係合し、被係合筒部５２０の係合筒部４２０からの抜けを防止する。
【００３６】
図４は、本発明の実施の形態１に係るライトアングルコネクタ装置における電子機器の筐体に設けられた係合筒部の斜視図である。
【００３７】
規制部材５００の他端部と係合する係合筒部４２０は、図４に示すように筐体４１０の他側面４１４に、他側面４１４と直交する方向に突出した円筒状をなしている。
【００３８】
他側面４１４は、ここでは、一側面４１２と直交する面である。なお、他側面４１４は、図１に示すように、電子機器４００においてＯＮ／ＯＦＦ及び接続されるセンサの記録開始終了を決定するボタン４０２が配設されている面を前面とすると左側面であり、一側面４１２は上面を形成している。また、他側面４１４は、ライトアングルプラグ２００から導出されるケーブル２１０の軸方向（ケーブル２１０の導出方向（引っ張り方向Ｙ）を含む）と略直交している。
【００３９】
係合筒部４２０は、他側面４１４において、一側面４１２に接続されたライトアングルプラグ２００からの導出されるケーブル２１０の導出方向と略平行に突出するように形成されている。係合筒部４２０は、抜脱方向と直交する方向に延在する部位（係合筒部４２０の底面側部分）を有し、この部位で被係合筒部５２０と係合して、被係合筒部５２０の抜脱方向への移動を規制している。
【００４０】
係合筒部４２０において、規制部材５００が取り付けられた際に、規制部材５００の被係合筒部５２０の内周面と対向する外周面４２１には、放射方向に突出する環状の突条部４２２（図４参照）が形成され、この突条部４２２に、挿入される被係合筒部５２０の突部５２４（図２及び図３参照）が係合している。
【００４１】
係合筒部４２０は、外周面４２１で規制部材５００の被係合筒部５２０と係合するとともに、開口する先端部分４２３で他の器具、例えば、呼吸系の情報を取得するための器具のコネクタと接続される機能を有していても良い。
【００４２】
例えば、係合筒部４２０は、鼻呼吸情報を取得する鼻腔管に接続されたカニューレのルアーコネクタを接続するコネクタとして機能する。
【００４３】
図５は係合筒部に接続されるルアーコネクタを備える器具７００の一例を示す図、図６は係合筒部に取り付けられるルアーコネクタを示す図である。
【００４４】
ルアーコネクタ７１０は、カニューレ７２０の端部に取り付けられ、円盤状のフランジ７１２の中央部分から突出し、係合筒部４２０内に挿入されることで、カニューレ７２０を電子機器に接続する接続突起部７１４を備える。
【００４５】
接続突起部７１４を環状の緩衝部材（ゴムパッキン）７１６に挿通させて、図６に示すように、係合筒部４２０内に、開口する先端部分（先端の開口部）４２３から軸回に回転しながら挿入し、係合筒部内の接続管４２６に嵌合させる。これにより、ルアーコネクタ７１０が係合筒部４２０の開口縁に取り付けられる。このように係合筒部４２０にルアーコネクタを取り付けても、係合筒部４２０の外周面４２１は、筐体４１０の他側面（一側面４１２である上面と直交する左側面）４１４とルアーコネクタ７１０のフランジ７１２との間で外部に露出した状態となるように形成されている。
【００４６】
次に、このライトアングルコネクタ装置の組立方法を図７〜図１０を参照して説明する。図７〜図１０は、規制部材の取り付け方法を説明するための図である。
【００４７】
先ず、図７に示すように、規制部材５００の他端部を形成する被係合筒部５２０に、ライトアングルプラグ２００においてケーブル２１０の端部に取り付けられたプラグ本体２２０側から挿通する。このとき、被係合筒部５２０の内径は、常態時においてライトアングルプラグ２００において最も外径が大きいプラグ本体２２０の外径よりも大きいため、被係合筒部５２０にプラグ本体２２０を容易に挿通させることができる。
【００４８】
そして、被係合筒部５２０からプラグ本体２２０を通して、被係合筒部５２０内に直交するようにケーブル２１０を位置させた後、スリット５３２を介して、ケーブル２１０を、環状部５１０側に移動して、環状部５１０内に挿通させる（図８参照）。
【００４９】
このように規制部材５００を挿通したプラグ本体２２０の挿入突部２３０を、電子機器４００のソケットに挿入して嵌合させる（図９参照）。
【００５０】
電子機器４００に、ソケット３１０（図９参照）を介して接続されたライトアングルプラグ２００では、ケーブル２１０は、他側面４１４の上方で、一側面４１２の延在方向にそって導出された状態で配置される。
【００５１】
そして、図１０に示すように、規制部材５００を、他側面４１４側に移動して、被係合筒部５２０を係合筒部４２０に係合させるとともに、環状部５１０をライトアングルプラグ２００の首部２２１に嵌合させる。被係合筒部５２０では、係合筒部４２０へ外挿して、突部５２４が、突条部４２２を乗り越えて当該突条部４２２より基端側に移動させる。これにより突部５２４は、突条部４２２と係合することによって抜脱方向Ｘへの移動を規制され、被係合筒部５２０は係合筒部４２０からの抜け止めされる。
【００５２】
また、環状部５１０は、ケーブル２１０側からケーブル２１０よりも外径が大きい首部２２１側へ移動されるが、スリット５３２を備える規制本体部によるバネ作用から環状部５１０自体の内径を大きくして首部２２１に外嵌される。
【００５３】
このように規制部材５００を介してライトアングルプラグ２００が接続された電子機器４００では、規制部材５００によって、ライトアングルプラグ２００に対して、ソケット３１０（図９参照）内に挿入された挿入突起部２３０の抜脱方向Ｘ（接続方向とは逆方向）への移動を規制する。
【００５４】
すなわち、本実施の形態は、電子機器４００の一側面４１２に設けられ、ライトアングルプラグ２００が接続されるソケット３１０（図９参照）と、一端部（環状部）５１０がライトアングルプラグ２００又はケーブル２１０に係合するとともに他端部（被係合筒部）５２０が電子機器４００の筐体４１０の一部（係合筒部）４２０に脱着自在に係合してライトアングルプラグ２００がソケット３１０に対して離間する方向（抜脱方向Ｘに相当）への移動を規制する規制部材５００とを備える。
【００５５】
つまり、ライトアングルコネクタ装置１００は、ケーブル２１０の端部に、ケーブル２１０の軸方向に対して直交する方向に突出して設けられ、接続相手に挿入してケーブル２１０を電気的に接続する挿入突部２３０を有するライトアングルプラグ２００と、電子機器４００の筐体４１０において、交差するとともに隣り合う外面４１２、４１４のうち一方の外面（一側面）４１２で開口するとともに、挿入突部２３０が挿入される挿入口を有するソケット３１０と、筐体４１０の他方の外面４１４に沿って配置され、一端部５１０がケーブル２１０を含むライトアングルプラグ２００のケーブル２１０の軸方向に沿った部位に係合するとともに、他端部５２０が筐体４１０（係合筒部４２０）に脱着自在に係合してライトアングルプラグ２００がソケットに対して離間する方向への移動を規制する規制部材５００とを備える。
【００５６】
これにより、電子機器４００に接続されたライトアングルプラグ２００では、ソケット３１０（図９参照）内に挿入された挿入突起部の抜脱方向（接続方向とは逆方向）Ｘへの移動させる荷重が加わる場合、被係合筒部５２０を介して電子機器４００に係合された規制部材５００を介して、その移動は規制される。
【００５７】
言い換えれば、規制部材５００を介して、プラグの抜脱方向（引き抜き方向）Ｘへの荷重を、規制部材５００の被係合筒部５２０及び他側面４１４の係合筒部４２０を介して電子機器４００の筐体全体に分散させている。
【００５８】
よって、ライトアングルプラグ２００及びソケット３１０の接続部分自体に、ソケット３１０からライトアングルプラグ２００を引き抜く方向Ｘへの荷重が集中することを防止できる。
【００５９】
これは、ソケットに接続されたライトアングルプラグの抜脱方向Ｘへの移動を規制するために、ライトアングルプラグにおいてソケットに挿入される部位に、ソケットの一部に係合を係合する爪部等を設けて、抜け止め防止を図る構成と異なり、ライトアングルプラグに抜脱方向の荷重が加わった際に、爪部とソケットの一部との係合部分に荷重が直接かかることがない。このため、接続されたプラグに対して、プラグ及びソケットの接続部分に荷重が集中する恐れがない。
【００６０】
特に、本実施の形態の電子機器は、接続される各センサとともに測定対象者に携帯させて用いる睡眠評価装置としている。このため、日常生活における睡眠中の鼻呼吸、気道音、マスク圧等の呼吸情報、胸骨上窩（喉仏の下の窪み）の動きによる努力呼吸の情報、体位、体動情報、ＳｐＯ２（経皮的動脈血酸素飽和度）等を記録する場合に、測定対象者の体位の変更によって、ケーブルに引っ張り方向Ｙの荷重が加わる場合でも、各センサを接続するプラグが電子機器から抜けることなく確実に睡眠評価データを収集できる。
【００６１】
なお、係合筒部４２０はここでは筒状に突出させた構成としたが、これに限らない。つまり、電子機器の一側面に設けられ、前記ライトアングルプラグが接続されるソケットに接続されたライトアングルプラグを備える構成において、一端部をライトアングルプラグ又はケーブルに係合させた規制部材の他端部を、脱着自在に係合させてライトアングルプラグにおけるソケットに対して離間する方向（抜脱方向Ｘ）への移動を規制させれば、どのように構成されてもよい。
【００６２】
また、規制部材５００が着脱自在に係合する係合筒部４２０を他の測定器具のコネクタとして用いたため、別途、他の測定器具を接続するコネクタを形成する必要がない。
【００６３】
（実施の形態２）
図１１は、本発明の実施の形態２に係るライトアングルコネクタ装置を示す図、図１２は本発明の実施の形態２に係るライトアングルコネクタ装置における規制部材と電子機器との係合状態を示す概略断面図である。なお、この実施の形態２のライトアングルコネクタ装置は、図１に示す実施の形態１に対応するライトアングルコネクタ装置と比較して、規制部材の形状及び規制部材に係合する筐体の一部の構成のみが異なり、その他の構成は同様の構成要素を有している。よって、同一の構成要素には同一の符号を付し、その説明を省略する。
【００６４】
図１１に示すライトアングルコネクタ装置１００Ａは、ケーブル２１０の端部に設けられ、接続相手と接続する方向がケーブル２１０の軸方向に対して直交するライトアングルプラグ２００と、電子機器４００Ａの一側面４１２Ａに設けられ、ライトアングルプラグ２００が接続されるソケットと、一端部（基端部）６１０がライトアングルプラグ２００又はケーブル２１０に係合するとともに他端部（先端部）６２０が電子機器４００の筐体４１０の一部に脱着自在に係合して、ライトアングルプラグ２００に対してソケットから離間する方向（Ｘ方向）への移動を規制する規制部材６００と、を備える。
【００６５】
ソケットは、実施の形態１のソケット３１０（図９参照）と同様に、電子機器４００Ａの筐体４１０Ａの一側面（上面）４１２Ａにおいて、隣り合う他側面（左側面）４１４Ａが直交して接続される側の端部に設けられている。このソケットに接続されたライトアングルプラグ２００から導出されるケーブル２１０は、実施の形態１と同様に、電子機器４００Ａの一側面（上面）４１２Ａにおいて、筐体４１０Ａの他側面４１４Ａから突出するように配設されている。言い換えれば、電子機器４００Ａにライトアングルプラグ２００が接続された状態では、ライトアングルプラグ２００から導出されるケーブル２１０は、筐体４１０Ａの上面である一側面４１２Ａから左側面としての他側面４１４Ａ側にオーバーハングして取り付けられている。
【００６６】
この他側面４１４Ａに沿って、上方に配置された首部２２１に一端部である基端部６１０を係合し、他端部である先端部６２０を筐体４１０Ａに着脱自在に係合した規制部材６００が配設されている。
【００６７】
規制部材６００は、首部２２１に係合する基端部６１０とともに、基端部６１０から他側面４１４に沿って延在して形成された略板状をなす規制本体部６３０と、規制本体部６３０の先端側に設けられ、筐体４１０Ａにおいて他側面４１４と底面４１６とが略直交してなる角部を覆い、底面４１６に係合する先端部（他端部）６２０とを有する。なお、底面４１６は、筐体４１０Ａにおいて一側面４１２Ａと略平行であり、且つ、他側面４１４Ａと略直交する面である。なお、この規制部材６００は、機能的には規制部材５００と同様に形成される。
【００６８】
基端部６１０は、実施の形態１における規制部材５００の環状部５１０と同様に形成されている。つまり、基端部６１０は、ライトアングルプラグ２００の首部２２１に外嵌する開口部を有し、この開口部は規制本体部６３０の延在方向（接続方向に相当）に沿って形成されたスリット６３２に連通している。
【００６９】
ここでは、規制本体部６３０に形成されたスリット６３２は、規制本体部６３０に対して直交する先端部６２０の開口部６２１に連続している。
【００７０】
先端部６２０は、規制本体部６３０の延在方向に連続する面状基部６２０ａと、面状基部６２０ａから直交して底面４１６に沿って延在し、筐体４１０Ａの底面４１６に係合する係合板部（被係合部）６２０ｂとで側面視Ｌ字状に形成され、内部にスリット６３２と連通する開口部６２１を有する。
【００７１】
面状基部６２０ａは、規制本体部６３０においてスリット６３２を挟む長尺の２本の角柱状部材のそれぞれの外面から、当該角柱状部材の延在方向（接続方向に相当）に突出した側辺部６２３から構成され、その突端部から折曲して係合板部６２０ｂの基端部が接合されている。
【００７２】
係合板部６２０ｂは、面状基部６２０ａとともに画成する開口部６２１の周囲の一部を形成する部位に底面４１６に当接する内面６２２を備える。
【００７３】
係合板部６２０は、この内面を底面４１６に当接させることによって、規制部材６００の他側面４１４Ａの延在方向に沿った移動、つまり、ライトアングルプラグ２００に対してソケットから抜ける抜脱方向（ケーブル２１０の軸方向と直交した方向）Ｘへの移動を規制する。
【００７４】
係合板部６２０は、底面４１６に係合した際に、ケーブル２１０の軸方向に沿ったケーブルの引っ張り方向Ｙと平行な方向に移動して脱落しないように形成されている。
【００７５】
ここでは図１２に示すように、係合板部６２０は、内面６２２に対向する底面４１６に対して突出し、底面４１６に形成された凹部４１６ａに脱着自在に係合する爪部６２４が形成されている。この爪部６２４と凹部４１６ａの係合により、係合板部６２０が、底面４１６から、抜けることを防止する。
【００７６】
このようにライトアングルコネクタ装置１００Ａでは、ライトアングルプラグコネクタ装置１００と同様に、電子機器４００Ａにおいてソケットを介して接続されたライトアングルプラグ２００に対するケーブル軸に沿った引き抜き方向Ｙへの荷重がかかる場合、ケーブル軸方向に直交する接続方向で接続された部分において、荷重による抜けを防止できるとともに、ライトアングルプラグ２００に接続方向に沿った荷重が加わる場合でも、規制部材６００を介して、ソケットから離間することを防止できる。
【００７７】
また、規制部材６００は、可撓性を有する部材（ここでは樹脂）により、一端部６１０及び他端部６２０を連絡する規制本体部６３０に、一端部６１０及び他端部６２０の開口部６１１、６２１に連通するスリット６３２が形成されている。また、規制部材５００は、規制部材５００と同様に、一端部６１０の開口部６１１の内径を首部２１１に外嵌する内径とし、筐体４１０Ａの一部に係合する先端部６２０の開口部６２１の内径を、プラグ本体２２０の外径よりも大きい径としている。
【００７８】
このように、規制部材６００は、可撓性を有し、規制部材５００と同様に、規制本体部６３０を形成する角柱状部材を互いに離間する方向に移動させることができ、スリット６３２の幅を拡げて、一端部６１０の開口部６１１の開口径を大きくできる。また、先端部６２０の開口部６２１の開口径も大きくでき、規制部材５００と同様に、ライトアングルプラグ２００と電子機器４００Ａとに渡って容易に取り付けることができる。
【００７９】
なお、この規制部材６００において先端部側に形成された部材（ここでは係合板部６２０）と筐体４１０Ａの一部との係合は、規制部材６００における規制本体部６３０の延在方向、つまり、ライトアングルプラグ２００に対するソケットからの抜脱方向への移動、つまり抜けを規制するものでれば、どのように形成されてもよい。
【００８０】
図１３は、本発明の実施の形態２に係るライトアングルコネクタ装置における規制部材と電子機器との係合状態の変形例を示す概略断面図である。
【００８１】
例えば、図１３に示すように、規制部材６００の係合板部６２０における爪部６２４を省略して、他側面（左側面）４１４Ｂ（４１４Ａに対応）に対向する規制本体部６３０の内面に突部６２８を形成する。この場合、他側面４１４Ｂにおいて突部６２８に対応する部位に突部６２８が嵌入される凹部４１４ａを形成する。突部６２８の外周には、凹部４１４ａに挿入された際に潰れることによって突部６２８自体を凹部４１４ａに内嵌させる張り出し部６２９を形成する。
【００８２】
これにより、規制部材６００が、基端部６１０を、規制部材５００の環状部５１０と同様に、ライトアングルプラグ２００の首部２２１に外嵌させて、先端側の係合板部６２０の内面６２２を底面４１６の端部に係止させて取り付けた場合、規制部材６００自体の底面４１６からの抜けを防止でき、実施の形態２と同様の作用効果を得ることができる。
【００８３】
以上、本発明の実施の形態について説明した。なお、以上の説明は本発明の好適な実施の形態の例証であり、本発明の範囲はこれに限定されない。つまり、上記各装置の構成および各装置の使用時の動作についての説明は一例であり、本発明の範囲においてこれらの例に対する様々な変更や追加が可能であることは明らかである。
【図面の簡単な説明】
【００８４】
【図１】本発明の実施の形態１に係るライトアングルコネクタ装置を示す斜視図
【図２】本発明の実施の形態１に係るライトアングルコネクタ装置における規制部材の斜視図
【図３】本発明の実施の形態１に係るライトアングルコネクタ装置における規制部材の平面図
【図４】本発明の実施の形態１に係るライトアングルコネクタ装置における電子機器に設けられた筐体の係合筒部の斜視図
【図５】係合筒部に接続されるルアーコネクタを備える器具の一例を示す図
【図６】係合筒部に取り付けられるルアーコネクタを示す図
【図７】規制部材の取り付け方法を説明するための図
【図８】規制部材の取り付け方法を説明するための図
【図９】規制部材の取り付け方法を説明するための図
【図１０】規制部材の取り付け方法を説明するための図
【図１１】本発明の実施の形態２に係るライトアングルコネクタ装置を示す図
【図１２】本発明の実施の形態２に係るライトアングルコネクタ装置における規制部材と電子機器との係合状態を示す概略断面図
【図１３】本発明の実施の形態２に係るライトアングルコネクタ装置における規制部材と電子機器との係合状態の変形例を示す概略断面図
【符号の説明】
【００８５】
１００  ライトアングルコネクタ装置
２００  ライトアングルプラグ
２１０  ケーブル
２２０  プラグ本体
２２１  首部
２３０  挿入突部
３１０  ソケット
４００、４００Ａ  電子機器
４１０、４１０Ａ  筐体
４１２、４１２Ａ  一側面
４１４、４１４Ａ  他側面
４１４ａ、４１６ａ  凹部
４１６  底面
４２０  係合筒部
４２２  突条部
５００、６００  規制部材
５１０  環状部（一端部）
５１１、５２１  開口部
５２０  被係合筒部（他端部）
５２４  突部
５３０、６３０  規制本体部
５３２、６３２  スリット
６１０  基端部（一端部）
６２０  係合板部（他端部）
６２２  内面
６２４  爪部
６２８  突部
【図１】
0005047004.tif 000002
【図２】
0005047004.tif 000003
【図３】
0005047004.tif 000004
【図４】
0005047004.tif 000005
【図５】
0005047004.tif 000006
【図６】
0005047004.tif 000007
【図７】
0005047004.tif 000008
【図８】
0005047004.tif 000009
【図９】
0005047004.tif 000010
【図１０】
0005047004.tif 000011
【図１１】
0005047004.tif 000012
【図１２】
0005047004.tif 000013
【図１３】
0005047004.tif 000014